(57)【要約】【課題】基礎部同士を連結する際にその工期を好適に短縮することができる建物の基礎構造を提供する。【解決手段】基礎２０は、先付け基礎部３１と、ブロック状の後付け基礎部３２とが一体化されることで構築されている。先付け基礎部３１には、第１雌ねじ孔５３ａ，５３ｂを有する第１雌ねじ部材５１ａ，５１ｂが埋め込まれ、後付け基礎部３２には、第２雌ねじ孔５４ａ，５４ｂを有する第２雌ねじ部材５２ａ，５２ｂが埋め込まれ、第１雌ねじ孔５３ａ，５３ｂと第２雌ねじ孔５４ａ，５４ｂとは同一軸線上に並ぶようにして対向配置されている。先付け基礎部３１と後付け基礎部３２とは、ねじ切り棒４５ａ，４５ｂの一端が第１雌ねじ孔５３ａ，５３ｂにねじ入れられ、ねじ切り棒４５ａ，４５ｂの他端が第２雌ねじ孔５４ａ，５４ｂにねじ入れられていることで互いに連結されている。【選択図】      図１
2013155572.tif 000002
【特許請求の範囲】
【請求項１】
先付け基礎部に対して、ブロック状の後付け基礎部が一体化されて設けられる建物の基礎構造であって、
前記先付け基礎部には第１雌ねじ孔が形成され、
前記後付け基礎部には第２雌ねじ孔が形成されており、
前記先付け基礎部と前記後付け基礎部とは、前記第１雌ねじ孔と前記第２雌ねじ孔とが同一軸線上に並ぶようにして対向配置されており、
両端部にそれぞれ雄ねじ部を有するねじ切り棒を連結具として用い、
前記ねじ切り棒の一端が前記第１雌ねじ孔にねじ入れられ、他端が前記第２雌ねじ孔にねじ入れられることで、前記先付け基礎部に対して前記後付け基礎部が固定されていることを特徴とする建物の基礎構造。
【請求項２】
前記先付け基礎部と前記後付け基礎部とのそれぞれの対向面の間に所定の隙間が形成されている請求項１に記載の建物の基礎構造。
【請求項３】
前記隙間に充填材が充填されている請求項２に記載の建物の基礎構造。
【請求項４】
前記先付け基礎部において、互いに交差する方向に延びる基礎外面にそれぞれ開口して前記第１雌ねじ孔が複数形成される一方、
前記後付け基礎部において、複数の第１雌ねじ孔の各開口部にそれぞれ対向する位置に前記第２雌ねじ孔が複数形成されており、
前記複数の第１雌ねじ孔と前記複数の第２雌ねじ孔とにそれぞれ前記ねじ切り棒がねじ入れられていることで、前記先付け基礎部に対して前記後付け基礎部が固定されている請求項１乃至３のいずれか一項に記載の建物の基礎構造。
【請求項５】
前記先付け基礎部には、立ち上がり部とフーチング部との各外面にそれぞれ開口して前記第１雌ねじ孔が複数形成されており、
前記後付け基礎部には、前記立ち上がり部に対向する対向面と前記フーチング部に対向する対向面とにそれぞれ前記第２雌ねじ孔が形成されている請求項４に記載の建物の基礎構造。
【請求項６】
前記先付け基礎部は、基礎延設方向において出隅又は入隅からなる隅部を有しており、その隅部に前記後付け基礎部が取り付けられる基礎構造であって、
前記先付け基礎部には、前記隅部を構成する２面にそれぞれ開口して前記第１雌ねじ孔が複数形成されており、
前記後付け基礎部には、前記隅部に対向する２つの対向面にそれぞれ前記第２雌ねじ孔が形成されている請求項４又は５に記載の建物の基礎構造。
【請求項７】
前記先付け基礎部には、その上端面に開口してアンカーホールが形成され、該カーホールに挿し入れられたアンカーバーに建物躯体が固定されており、
前記後付け基礎部は、前記アンカーホールを跨ぐ位置に前記先付け基礎部に沿って延びるように設けられている請求項１乃至６のいずれか１項に記載の建物の基礎構造。
【請求項８】
前記後付け基礎部には、前記先付け基礎部に対する前記後付け基礎部の位置決めを行う位置決め手段が、前記先付け基礎部と前記後付け基礎部とに挟まれる位置において前記先付け基礎部に向けて突出して設けられている請求項１乃至７のいずれか１項に記載の建物の基礎構造。
【請求項９】
請求項１乃至８のいずれか１項に記載の建物の基礎構造に適用される基礎の構築方法であって、
前記後付け基礎部を、前記第１雌ねじ孔及び前記第２雌ねじ孔の一方に前記ねじ切り棒をねじ入れた状態で配置し、
前記ねじ切り棒を、前記一方の雌ねじ孔から出ていくとともに他方の雌ねじ孔にねじ入れられる向きに回転させることを特徴とする基礎の構築方法。
【発明の詳細な説明】
【技術分野】
【０００１】
本発明は、建物の基礎構造及び基礎の構築方法に関するものである。
【背景技術】
【０００２】
住宅等の建物において、既に設置済みの基礎部に対して別の基礎部を取り付けることで基礎の増強を図る技術がある。例えば、アンカーホールを既存基礎に形成し、モルタル等の充填材をアンカーホールに充填した状態で、アンカーボルト等のアンカーバーをアンカーホールに挿し入れ、充填材を固化させ、その後、アンカーバーの突出部分を用いて追加基礎を既存基礎に対して固定するという技術がある（例えば特許文献１）。この技術では、アンカーバーの突出部分を含むように型枠を組み、その型枠にフレッシュコンクリートを流し込み、フレッシュコンクリートを固化させることで、追加基礎を構築することができるとともにアンカーバーの突出部分を追加基礎に固定することができる。
【先行技術文献】
【特許文献】
【０００３】
【特許文献１】特開２００１−２０７５５０号公報
【発明の概要】
【発明が解決しようとする課題】
【０００４】
しかしながら、追加基礎を現場でのコンクリート打設により構築する構成では、フレッシュコンクリートが固化するのを待たなければならないため、工期が長くなってしまう。そこで、プレキャストコンクリートなどのブロック部材により追加基礎を構築することが考えられるが、この場合でも、追加基礎と既存基礎とをアンカーバーにより連結する際に、先ずは既存基礎のアンカーホールに充填材を充填し、その充填材が固化してからアンカーバーに対して追加基礎を固定することになるため、充填材が固化するのを待たなければならず、工期が長くなってしまう。以上のことから、基礎部同士を連結する際の工期短縮に関して改善の余地がある。
【０００５】
本発明は、基礎部同士を連結する際にその工期を好適に短縮することができる建物の基礎構造を提供することを主たる目的とするものである。
【課題を解決するための手段】
【０００６】
以下、上記課題を解決するのに有効な手段等につき、必要に応じて作用、効果等を示しつつ説明する。
【０００７】
第１の発明の建物の基礎構造は、先付け基礎部に対して、ブロック状の後付け基礎部が一体化されて設けられる建物の基礎構造であって、前記先付け基礎部には第１雌ねじ孔が形成され、前記後付け基礎部には第２雌ねじ孔が形成されており、前記先付け基礎部と前記後付け基礎部とは、前記第１雌ねじ孔と前記第２雌ねじ孔とが同一軸線上に並ぶようにして対向配置されており、両端部にそれぞれ雄ねじ部を有するねじ切り棒を連結具として用い、前記ねじ切り棒の一端が前記第１雌ねじ孔にねじ入れられ、他端が前記第２雌ねじ孔にねじ入れられることで、前記先付け基礎部に対して前記後付け基礎部が固定されていることを特徴とする。
【０００８】
上記構成では、先付け基礎部（一部が地中に埋設されて設けられる既存基礎）に対して、例えばプレキャストコンクリートからなるブロック状の後付け基礎部（ＰＣ追加基礎）が固定されて基礎の増強が行われている。かかる基礎構造において、ねじ切り棒を用いていることにより、ねじ切り棒を回転させれば、先付け基礎部側及び後付け基礎部側のいずれか一方では雌ねじ孔にねじ切り棒が入っていき、他方では雌ねじ孔からねじ切り棒が出ていくこととなる。
【０００９】
そのため、先付け基礎部に対する基礎増設に際し、初めは先付け基礎部側の第１雌ねじ孔にねじ切り棒のほぼ全体をねじ入れておき、その後、第１雌ねじ孔におけるねじ入れ量を徐々に減らしていくのと同時に、後付け基礎部側の第２雌ねじ孔におけるねじ入れ量を増やしていけば、後付け基礎部を固定することができる。この場合、例えば先付け基礎部のアンカーホールに対して充填材によりねじ切り棒を固定する場合とは異なり、充填材の固化を待つことなく先付け基礎部と後付け基礎部とをねじ切り棒により速やかに連結することができる。したがって、基礎部同士を連結する際にその工期を好適に短縮することができる。
【００１０】
第２の発明では、前記先付け基礎部と前記後付け基礎部とのそれぞれの対向面の間に所定の隙間が形成されている。
【００１１】
上記構成によれば、両基礎部の間の隙間を利用して手や治具を挿し入れることができる。この場合、ねじ切り棒を容易に回転させることができ、基礎増設の作業を好適に実施できる。
【００１２】
第３の発明では、前記隙間に充填材が充填されている。
【００１３】
上記構成によれば、両基礎部の間に隙間が存在することで、基礎の増設作業に際してねじ切り棒を容易に回転させることができるのに加え、その隙間に充填材が充填されていることで、両基礎部を対向面同士で接合させることができ、基礎強度を高めることができる。また、ねじ切り棒が外部に露出することなく設けられることになるため、錆びが生じる等の不都合を抑制できる。
【００１４】
第４の発明では、前記先付け基礎部において、互いに交差する方向に延びる基礎外面にそれぞれ開口して前記第１雌ねじ孔が複数形成される一方、前記後付け基礎部において、複数の第１雌ねじ孔の各開口部にそれぞれ対向する位置に前記第２雌ねじ孔が複数形成されており、前記複数の第１雌ねじ孔と前記複数の第２雌ねじ孔とにそれぞれ前記ねじ切り棒がねじ入れられていることで、前記先付け基礎部に対して前記後付け基礎部が固定されている。
【００１５】
先付け基礎部に対して後付け基礎部を固定する構成としては、例えばそれら両基礎部のいずれか一方に、一部を外方に突出させた状態でアンカーバーを取り付けておき、そのアンカーバーの突出部を相手側基礎部のアンカーホールに挿し入れる構成が考えられるが、かかる構成では、例えば先付け基礎部の出隅部分に対してＬ形の後付け基礎部を取り付けることが不可となる。つまり、アンカーバーが各々異なる方向に突出している場合には、各アンカーバーの突出部を相手側基礎部のアンカーホールにそれぞれ同様に挿し入れることができない。
【００１６】
この点、先付け基礎部において互いに交差する方向に延びる基礎外面に対し後付け基礎部を固定する構成として、連結具としてねじ切り棒を使用した上記構成を用いれば、先付け基礎部の出隅部分に対してＬ形の後付け基礎部を取り付けるような場合であっても、互いに交差する各面でねじ切り棒による固定が可能となり、両基礎部同士の強固な固定を実現できる。
【００１７】
つまり、ねじ切り棒は、各基礎部の雌ねじ孔において出没方向に移動可能であるため、先付け基礎部に対して後付け基礎部を所定の取付位置に配置した状態で、ねじ切り棒を回転させて移動させれば、ねじ切り棒が互いに異なる方向に延びる構成であっても、各ねじ切り棒による両基礎部同士の固定が可能となる。
【００１８】
第５の発明では、前記先付け基礎部には、立ち上がり部とフーチング部との各外面にそれぞれ開口して前記第１雌ねじ孔が複数形成されており、前記後付け基礎部には、前記立ち上がり部に対向する対向面と前記フーチング部に対向する対向面とにそれぞれ前記第２雌ねじ孔が形成されている。
【００１９】
上記構成によれば、後付け基礎部を立ち上がり部及びフーチング部の両方に対して強固に固定することができる。しかも、立ち上がり部に対してねじ入れられたねじ切り棒と、フーチング部に対してねじ入れられたねじ切り棒とが互いに交差する方向に延びているため、後付け基礎部が先付け基礎部に対して所定の方向にずれるという不都合を回避できる。
【００２０】
第６の発明では、前記先付け基礎部は、基礎延設方向において出隅又は入隅からなる隅部を有しており、その隅部に前記後付け基礎部が取り付けられる基礎構造であって、前記先付け基礎部には、前記隅部を構成する２面にそれぞれ開口して前記第１雌ねじ孔が複数形成されており、前記後付け基礎部には、前記隅部に対向する２つの対向面にそれぞれ前記第２雌ねじ孔が形成されている。
【００２１】
上記構成によれば、先付け基礎部の隅部において互いに交差する直線部分のそれぞれに対して後付け基礎部を強固に固定することができる。しかも、互いに交差する直線部分の一方にねじ入れられたねじ切り棒と、他方にねじ入れられたねじ切り棒とが互いに交差する方向に延びているため、後付け基礎部が先付け基礎部に対して所定の方向にずれるという不都合を回避できる。
【００２２】
第７の発明では、前記先付け基礎部には、その上端面に開口してアンカーホールが形成され、該カーホールに挿し入れられたアンカーバーに建物躯体が固定されており、前記後付け基礎部は、前記アンカーホールを跨ぐ位置に前記先付け基礎部に沿って延びるように設けられている。
【００２３】
上記構成によれば、先付け基礎部においてアンカーホールが形成された部分の構造強度を、後付け基礎部により好適に保つことができる。
【００２４】
第８の発明では、前記後付け基礎部には、前記先付け基礎部に対する前記後付け基礎部の位置決めを行う位置決め手段が、前記先付け基礎部と前記後付け基礎部とに挟まれる位置において前記先付け基礎部に向けて突出して設けられている。
【００２５】
上記構成によれば、後付け基礎部を、その後付け基礎部と先付け基礎部との間に位置決め手段が挟まる位置に配置するという容易な作業により、先付け基礎部に対する後付け基礎部の位置決めを行うことができる。
【００２６】
第９の発明の基礎の構築方法は、第１乃至８の発明のいずれかに記載の建物の基礎構造に適用される基礎の構築方法であって、前記後付け基礎部を、前記第１雌ねじ孔及び前記第２雌ねじ孔の一方に前記ねじ切り棒をねじ入れた状態で配置し、前記ねじ切り棒を、前記一方の雌ねじ孔から出ていくとともに他方の雌ねじ孔にねじ入れられる向きに回転させることを特徴とする。
【００２７】
上記構成によれば、後付け基礎部を先付け基礎部に隣接させて配置した後、ねじ切り棒を回転させるという容易な作業により、後付け基礎部を先付け基礎部に対して強固に固定することができる。
【図面の簡単な説明】
【００２８】
【図１】基礎周辺の構成を示す縦断面図。
【図２】（ａ）は、立ち上がり部と後付け基礎部とを連結するねじ切り棒周辺の縦断面図、（ｂ）は、ねじ切り棒が後付け基礎部側にねじ入れられていない状態の図。
【図３】（ａ）は、フーチング部と後付け基礎部とを連結するねじ切り棒周辺の縦断面図、（ｂ）は、ねじ切り棒がフーチング部側にねじ入れられていない状態の図。
【図４】後付け基礎部の取り付け作業の手順を示す図。
【図５】後付け基礎部周辺の基礎の構成を示す平面図。
【発明を実施するための形態】
【００２９】
以下、本発明を具体化した一実施形態を図面に基づいて説明する。本実施形態では、本発明の基礎構造をユニット式建物が設置された基礎において具体化している。ユニット式建物は、柱及び大梁を有する建物ユニットが複数結合されることで構築されており、先に構築されていた既設部分と、既設部分に対して後から増設された増設部分とを有している。図１は、基礎２０周辺の構成を示す縦断面図、図２（ａ）は、立ち上がり部３５と後付け基礎部３２とを連結するねじ切り棒４５ａ周辺の縦断面図、図３（ａ）は、フーチング部３４と後付け基礎部３２とを連結するねじ切り棒４５ｂ周辺の縦断面図である。なお、図１、図２（ａ）、図３（ａ）においては、第１雌ねじ孔５３ａ，５３ｂ及び第２雌ねじ孔５４ａ，５４ｂのねじ山の図示を省略している。
【００３０】
図１に示すように、住宅等の建物１０は、柱１１と、その柱１１の下端部に連結された床大梁１２とを有しており、柱１１は基礎２０の上に設置されている。柱１１は、アンカーボルト２１により基礎２０に対して固定されている。基礎２０には、その基礎２０の上面に開口しているアンカーホール２２が形成されており、アンカーボルト２１は、その上端部分を基礎２０の上面から上方に突出させた状態でアンカーホール２２に挿入されている。アンカーホール２２には、固化した状態のアンカーホール充填材２３が設けられており、そのアンカーホール充填材２３によりアンカーボルト２１がアンカーホール２２に対して固定されている。
【００３１】
アンカーホール充填材２３は、モルタル等のグラウトであり、アンカーボルト２１がアンカーホール２２に挿入されるよりも前にアンカーホール２２に充填され、アンカーボルト２１がアンカーホール２２に挿入された状態で固化したものである。
【００３２】
基礎２０は、一部が地中に埋設された先付け基礎部３１と、その先付け基礎部３１に対して後付けされた後付け基礎部３２とを有している。柱１１は、先付け基礎部３１及び後付け基礎部３２のそれぞれに対して個別に設置されており、アンカーボルト２１も個別に取り付けられている。なお、先付け基礎部３１の上に建物１０の既設部分が設置され、後付け基礎部３２の上に建物１０の増設部分が設置されている。
【００３３】
先付け基礎部３１は、鉄筋コンクリート造りの布基礎とされており、内部に配筋された鉄筋３３を有している。先付け基礎部３１は、地中に埋設されたフーチング部３４と、そのフーチング部３４から上方に向けて延びている立ち上がり部３５とを有しており、立ち上がり部３５は地表面ＧＬよりも上方に突出している。先付け基礎部３１は、建物１０の外周部に沿って延びるように設けられている。
【００３４】
後付け基礎部３２は、プレキャストコンクリート（ＰＣ）等のブロック部材により形成されたブロック状の基礎ブロックであり、内部に配筋された鉄筋３７を有している。後付け基礎部３２は、先付け基礎部３１の立ち上がり部３５の一側方において、フーチング部３４の上方に配置されている。この場合、後付け基礎部３２の一側面と立ち上がり部３５の一側面とが対向しており、後付け基礎部３２の下面とフーチング部３４の上面とが対向している。なお、先付け基礎部３１は、側面視において立ち上がり部３５とフーチング部３４とにより形成された入隅部を有しており、その入隅部の内側に後付け基礎部３２が配置されていることになる。
【００３５】
先付け基礎部３１と後付け基礎部３２との間にはスペーサ部材３８が設けられており、そのスペーサ部材３８によって先付け基礎部３１と後付け基礎部３２との間には基礎隙間３９が形成されている。スペーサ部材３８は、例えばコンクリート片により形成されており、フーチング部３４と後付け基礎部３２との間、及び立ち上がり部３５と後付け基礎部３２との間のそれぞれに設置されている。各スペーサ部材３８は、後付け基礎部３２の外面に対して取り付けられており、それぞれ先付け基礎部３１に向けて突出した突出部材となっている。
【００３６】
基礎隙間３９には、固化した状態の隙間充填材４３が設けられている。隙間充填材４３は、モルタル等のグラウトであり、先付け基礎部３１及び後付け基礎部３２の設置後にそれら基礎部３１，３２の基礎隙間３９に充填され、その状態で固化したものである。
【００３７】
基礎２０においては、先付け基礎部３１と後付け基礎部３２とが、連結具としてのねじ切り棒４５ａ，４５ｂにより連結されることで一体化されている。ねじ切り棒４５ａ，４５ｂは、全ネジボルトや寸切りボルトなどにより形成されており、ねじ切り棒４５ａ，４５ｂの外周面には、ねじ切り棒４５ａ，４５ｂの長手方向のほぼ全体に延びるように雄ねじ部が形成されている。
【００３８】
先付け基礎部３１には、ねじ切り棒４５ａ，４５ｂの一端が螺着された第１雌ねじ部材５１ａ，５１ｂが埋め込まれており、後付け基礎部３２には、ねじ切り棒４５ａ，４５ｂの他端が螺着された第２雌ねじ部材５２ａ，５２ｂが埋め込まれている。第１雌ねじ部材５１ａ，５１ｂは、長手方向に延びる第１雌ねじ孔５３ａ，５３ｂを有しており、第１雌ねじ孔５３ａ，５３ｂは先付け基礎部３１の表面にて開口されている。第２雌ねじ部材５２ａ，５２ｂは、長手方向に延びる第２雌ねじ孔５４ａ，５４ｂを有しており、第２雌ねじ孔５４ａ，５４ｂは後付け基礎部３２の表面にて開口されている。
【００３９】
先付け基礎部３１及び後付け基礎部３２においては、ねじ切り棒４５ａ，４５ｂのうち、ねじ切り棒４５ａにより立ち上がり部３５と後付け基礎部３２とが連結されており、そのねじ切り棒４５ａは水平方向に延びている。また、ねじ切り棒４５ｂによりフーチング部３４と後付け基礎部３２とが連結されており、そのねじ切り棒４５ｂは鉛直方向に延びている。この場合、ねじ切り棒４５ａ，４５ｂは互いに直交する方向に延びている。
【００４０】
まず、ねじ切り棒４５ａによる立ち上がり部３５と後付け基礎部３２との連結構造について説明する。立ち上がり部３５において後付け基礎部３２と対向する側面には、第１雌ねじ部材５１ａが埋め込まれており、その第１雌ねじ部材５１ａの第１雌ねじ孔５３ａは、側方の後付け基礎部３２に向けて開放されている。後付け基礎部３２において立ち上がり部３５と対向する側面（対向面）には、第２雌ねじ部材５２ａが埋め込まれており、その第２雌ねじ部材５２ａの第２雌ねじ孔５４ａは、側方の立ち上がり部３５に向けて開放されている。
【００４１】
立ち上がり部３５の第１雌ねじ部材５１ａと後付け基礎部３２の第２雌ねじ部材５２ａとは、水平方向に延びる同一軸線上に配置されている。つまり、第１雌ねじ孔５３ａと第２雌ねじ孔５４ａとは、同一軸線上に並ぶようにして対向配置されている。この状態で、ねじ切り棒４５ａの一端は第１雌ねじ孔５３ａにねじ入れられているとともに、他端は第２雌ねじ孔５４ａにねじ入れられており、それによって後付け基礎部３２が立ち上がり部３５に対して構造的に固定されている。
【００４２】
図２（ａ）に示すように、立ち上がり部３５と後付け基礎部３２との離間距離（基礎隙間３９の厚み寸法）をＤａとし、ねじ切り棒４５ａの長さ寸法をＬａとし、ねじ切り棒４５ａについて、立ち上がり部３５の第１雌ねじ孔５３ａにねじ入れられた部分の長さ寸法をＬａ１とするとともに、後付け基礎部３２の第２雌ねじ孔５４ａにねじ入れられた部分の長さ寸法をＬａ２とした場合、Ｌａ＝Ｄａ＋Ｌａ１＋Ｌａ２になっている。また、ねじ切り棒４５ａの突出寸法をＬａｘとすれば、Ｌａｘ＝Ｌａ２＋Ｄａ（Ｌａｘ＞Ｄａ）となっており、ねじ切り棒４５ａは、立ち上がり部３５から基礎隙間３９を越えて後付け基礎部３２側に達した状態となっている。
【００４３】
ねじ切り棒４５ａは、ほぼＬａ１＝Ｌａ２となるように第１雌ねじ孔５３ａ及び第２雌ねじ孔５４ａのそれぞれにねじ入れられており、この場合、ねじ切り棒４５ａの第１雌ねじ孔５３ａに対する螺着量と第２雌ねじ孔５４ａに対する螺着量とはほぼ同じになっている。なお、Ｌａ１＞Ｌａ２とされていてもよく、Ｌａ１＜Ｌａ２とされていてもよい。
【００４４】
立ち上がり部３５の第１雌ねじ孔５３ａの深さ寸法をＷａ１とし、第１雌ねじ孔５３ａにおいてねじ切り棒４５ａが届いていない部分の深さ寸法をＷａ３とした場合、Ｗａ３＞Ｌａ２とされている。つまり、Ｗａ１＋Ｄａ＞Ｌａとされている。また、後付け基礎部３２の第２雌ねじ孔５４ａの深さ寸法をＷａ２とし、第２雌ねじ孔５４ａにおいてねじ切り棒４５ａが届いていない部分の深さ寸法をＷａ４とした場合、Ｗａ４＞Ｌａ１とされている。つまり、Ｗａ２＋Ｄａ＞Ｌａとされている。
【００４５】
次に、ねじ切り棒４５ｂによるフーチング部３４と後付け基礎部３２との連結構造について説明する。フーチング部３４において後付け基礎部３２と対向する上面には、第１雌ねじ部材５１ｂが埋め込まれており、その第１雌ねじ部材５１ｂの第１雌ねじ孔５３ｂは、上方の後付け基礎部３２に向けて開放されている。後付け基礎部３２においてフーチング部３４と対向する下面（対向面）には、第２雌ねじ部材５２ｂが埋め込まれており、その第２雌ねじ部材５２ｂの第２雌ねじ孔５４ｂは、下方のフーチング部３４に向けて開放されている。
【００４６】
フーチング部３４の第１雌ねじ部材５１ｂと後付け基礎部３２の第２雌ねじ部材５２ｂとは、鉛直方向に延びる同一軸線上に配置されている。つまり、第１雌ねじ孔５３ｂと第２雌ねじ孔５４ｂとは、同一軸線上に並ぶようにして対向配置されている。この状態で、ねじ切り棒４５ｂの一端は第１雌ねじ孔５３ｂにねじ入れられているとともに、他端は第２雌ねじ孔５４ｂにねじ入れられており、それによって後付け基礎部３２がフーチング部３４に対して構造的に固定されている。
【００４７】
図３（ａ）に示すように、フーチング部３４と後付け基礎部３２との離間距離（基礎隙間３９の高さ寸法）をＤｂとし、ねじ切り棒４５ｂの長さ寸法をＬｂとし、ねじ切り棒４５ｂについて、フーチング部３４の第１雌ねじ孔５３ｂにねじ入れられた部分の長さ寸法をＬｂ１とするとともに、後付け基礎部３２の第２雌ねじ孔５４ｂにねじ入れられた部分の長さ寸法をＬｂ２とした場合、Ｌｂ＝Ｄｂ＋Ｌｂ１＋Ｌｂ２になっている。また、ねじ切り棒４５ｂの突出寸法をＬｂｘとすれば、Ｌｂｘ＝Ｌｂ１＋Ｄｂ（Ｌｂｘ＞Ｄｂ）となっており、ねじ切り棒４５ｂは、後付け基礎部３２から基礎隙間３９を越えてフーチング部３４側に達した状態となっている。
【００４８】
ねじ切り棒４５ｂは、ほぼＬｂ１＝Ｌｂ２となるように第１雌ねじ孔５３ｂ及び第２雌ねじ孔５４ｂのそれぞれにねじ入れられており、この場合、ねじ切り棒４５ｂの第１雌ねじ孔５３ｂに対する螺着量と第２雌ねじ孔５４ｂに対する螺着量とはほぼ同じになっている。なお、Ｌｂ１＞Ｌｂ２とされていてもよく、Ｌｂ１＜Ｌｂ２とされていてもよい。
【００４９】
フーチング部３４の第１雌ねじ孔５３ｂの深さ寸法をＷｂ１とし、第１雌ねじ孔５３ｂにおいてねじ切り棒４５ｂが届いていない部分の深さ寸法をＷｂ３とした場合、Ｗｂ３＞Ｌｂ２とされている。つまり、Ｗｂ１＋Ｄｂ＞Ｌｂとされている。また、後付け基礎部３２の第２雌ねじ孔５４ｂの深さ寸法をＷｂ２とし、第２雌ねじ孔５４ｂにおいてねじ切り棒４５ｂが届いていない部分の深さ寸法をＷｂ４とした場合、Ｗｂ４＞Ｌｂ１とされている。つまり、Ｗｂ２＋Ｄｂ＞Ｌｂとされている。
【００５０】
図１の説明に戻り、先付け基礎部３１において、第１雌ねじ部材５１ａが埋め込まれた立ち上がり部３５の側面と、第１雌ねじ部材５１ｂが埋め込まれたフーチング部３４の上面とは互いに直交している。この場合、第１雌ねじ孔５３ａ，５３ｂは、先付け基礎部３１において互いに交差する方向に延びる外面にそれぞれ開口していることになる。また、後付け基礎部３２において、第２雌ねじ部材５２ａが埋め込まれた側面と、第２雌ねじ部材５２ｂが埋め込まれた下面とは互いに直交している。この場合、第２雌ねじ孔５４ａ，５４ｂは、後付け基礎部３２において互いに交差する方向に延びる外面にそれぞれ開口していることになる。
【００５１】
本実施形態では、建物１０の増設部分はリフォームにより既設部分に対して増設されており、リフォームに際して、後付け基礎部３２を先付け基礎部３１に取り付ける作業は、建物１０の増設部分を構築する作業よりも前に行われる。この場合、先付け基礎部３１を既存基礎と称し、後付け基礎部３２をＰＣ追加基礎と称することもできる。
【００５２】
ここでは、後付け基礎部３２を後付け基礎部３２に取り付ける作業について、図２（ｂ）、図３（ｂ）、図４を参照しつつ説明する。図２（ｂ）は、ねじ切り棒４５ａが後付け基礎部３２側にねじ入れられていない状態の図、図３（ｂ）は、ねじ切り棒４５ｂがフーチング部３４側にねじ入れられていない状態の図、図４は、後付け基礎部３２の取り付け作業の手順を示す図である。なお、図２（ｂ）、図３（ｂ）、図４においては、第１雌ねじ孔５３ａ，５３ｂ及び第２雌ねじ孔５４ａ，５４ｂのねじ山の図示を省略している。また、図４においては、鉄筋３３，３７、建物１０の既設部分、地表面ＧＬの図示を省略している。
【００５３】
まず、図４（ａ）に示すように、既存基礎としての先付け基礎部３１において、フーチング部３４及び立ち上がり部３５のそれぞれに埋め込み穴５６を形成し、各埋め込み穴５６に第１雌ねじ部材５１ａ，５１ｂをそれぞれ埋め込む。ちなみに、先付け基礎部３１は、建物１０の既設部分が構築される際に、建築現場においてコンクリートの打設が行われることで構築されたものである。
【００５４】
その後、図４（ｂ）に示すように、立ち上がり部３５の第１雌ねじ部材５１ａに対してねじ切り棒４５ａをねじ入れるとともに、後付け基礎部３２の第２雌ねじ部材５２ｂに対してねじ切り棒４５ｂをねじ入れる。
【００５５】
ここで、立ち上がり部３５と後付け基礎部３２とを連結するねじ切り棒４５ａについては、上述したようにＷａ１＋Ｄａ＞Ｌａとされているため、立ち上がり部３５から突出したねじ切り棒４５ａが、スペーサ部材３８にて確保される基礎隙間３９よりも後付け基礎部３２側にはみ出ないように、つまり、Ｌａｘ＜Ｄａとなるようにねじ切り棒４５ａを第１雌ねじ部材５１ａにねじ入れることが可能となっている（図２（ｂ）参照）。ここでは、ねじ切り棒４５ａを、その突出側端部を除いてほぼ全体が立ち上がり部３５の第１雌ねじ孔５３ａに収納されるようにねじ入れておく。
【００５６】
フーチング部３４と後付け基礎部３２とを連結するねじ切り棒４５ｂについても、上述したようにＷｂ２＋Ｄｂ＞Ｌｂとされているため、後付け基礎部３２から突出したねじ切り棒４５ｂが、スペーサ部材３８にて確保される基礎隙間３９よりもフーチング部３４側にはみ出ないように、つまり、Ｌｂｘ＜Ｄｂとなるようにねじ切り棒４５ｂを第２雌ねじ部材５２ｂにねじ入れることが可能となっている（図３（ｂ）参照）。ここでは、ねじ切り棒４５ｂを、その突出側端部を除いてほぼ全体が後付け基礎部３２の第２雌ねじ孔５４ｂに収納されるようにねじ入れておく。
【００５７】
そして、図４（ｃ）に示すように、後付け基礎部３２をフーチング部３４の上面に載置し、後付け基礎部３２の側面に取り付けられたスペーサ部材３８を立ち上がり部３５の側面に当接させる。これにより、後付け基礎部３２を、立ち上がり部３５との間に隙間を確保した位置に位置決めすることができる。また、後付け基礎部３２の下面にもスペーサ部材３８が取り付けられているため、後付け基礎部３２をフーチング部３４の上に単に載置するだけで、後付け基礎部３２は、フーチング部３４との間に隙間を確保した位置に位置決めされることになる。この場合、後付け基礎部３２の側面及び下面に取り付けられた各スペーサ部材３８は、先付け基礎部３１に対する後付け基礎部３２の位置決めを行う位置決め手段に相当する。
【００５８】
後付け基礎部３２を位置合わせした状態では、図２（ｂ）に示すように、立ち上がり部３５から側方に突出したねじ切り棒４５ａが後付け基礎部３２の第２雌ねじ部材５２ａに届いていない。この状態で、基礎隙間３９に手や治具を挿し入れてねじ切り棒４５ａの突出部分を保持し、ねじ切り棒４５ａを突出寸法Ｌａｘが大きくなる向きに回転させると、ねじ切り棒４５ａは立ち上がり部３５の第１雌ねじ孔５３ａから徐々に出ていくとともに、突出側端部から後付け基礎部３２の第２雌ねじ孔５４ａに徐々に入っていく。そして、ねじ切り棒４５ａの回転作業を続けることで、立ち上がり部３５の第１雌ねじ孔５３ａにおけるねじ入れ量を徐々に減らしていくとともに、後付け基礎部３２の第２雌ねじ孔５４ａにおけるねじ入れ量を徐々に増やしていき、ほぼＬａ１＝Ｌａ２となるようにする（図２（ａ）参照）。
【００５９】
後付け基礎部３２から下方に突出したねじ切り棒４５ｂについても、図３（ｂ）に示すように、フーチング部３４の第１雌ねじ部材５１ｂに届いていない状態で、基礎隙間３９に手や治具を挿し入れてねじ切り棒４５ｂの突出部分を保持し、ねじ切り棒４５ｂを突出寸法Ｌｂｘが大きくなる向きに回転させると、ねじ切り棒４５ｂは後付け基礎部３２の第２雌ねじ孔５４ｂから徐々に出ていくとともに、突出側端部からフーチング部３４の第１雌ねじ孔５３ｂに徐々に入っていく。そして、ねじ切り棒４５ｂの回転作業を続けることで、後付け基礎部３２の第２雌ねじ孔５４ｂにおけるねじ入れ量を徐々に減らしていくとともに、フーチング部３４の第１雌ねじ孔５３ｂにおけるねじ入れ量を徐々に増やしていき、ほぼＬｂ１＝Ｌｂ２となるようにする（図３（ａ）参照）。
【００６０】
以上の作業により、ねじ切り棒４５ａ，４５ｂにより先付け基礎部３１と後付け基礎部３２とが連結された状態においては、ねじ切り棒４５ａ，４５ｂが互いに交差する方向に延びている。このため、ねじ切り棒４５ａ，４５ｂが平行に延びている場合とは異なり、後付け基礎部３２が先付け基礎部３１に対して所定の方向にずれるということを回避できる。しかも、後付け基礎部３２の位置決め後にねじ切り棒４５ａ，４５ｂを出没方向に移動させることができるため、ねじ切り棒４５ａ，４５ｂが互いに交差する方向に延びているにもかかわらず、ねじ切り棒４５ａ，４５ｂを先付け基礎部３１や後付け基礎部３２に仮取り付けした状態で、後付け基礎部３２を先付け基礎部３１に対して位置決めすることが可能となっている。
【００６１】
ちなみに、立ち上がり部３５と後付け基礎部３２とを連結するねじ切り棒４５ａについて、立ち上がり部３５の第１雌ねじ孔５３ａに仮取り付けしておくのではなく、後付け基礎部３２の第２雌ねじ孔５４ａに仮取り付けしておいてもよい。この場合でも、後付け基礎部３２の位置決め後にねじ切り棒４５ａを回転させて立ち上がり部３５の第１雌ねじ孔５３ａにねじ入れることにより、立ち上がり部３５と後付け基礎部３２とをねじ切り棒４５ａにより連結することができる。
【００６２】
また、フーチング部３４と後付け基礎部３２とを連結するねじ切り棒４５ｂについて、後付け基礎部３２の第２雌ねじ孔５４ｂに仮取り付けしておくのではなく、フーチング部３４の第１雌ねじ孔５３ｂに仮取り付けしておいてもよい。この場合でも、後付け基礎部３２の位置決め後にねじ切り棒４５ｂを回転させて後付け基礎部３２の第２雌ねじ孔５４ｂにねじ入れることにより、フーチング部３４と後付け基礎部３２とをねじ切り棒４５ｂにより連結することが可能となる。
【００６３】
なお、ねじ切り棒４５ａ，４５ｂによる先付け基礎部３１と後付け基礎部３２との連結作業が終了した後、基礎隙間３９に隙間充填材４３を流し込み、隙間充填材４３を固化させる。
【００６４】
本実施形態の後付け基礎部３２は、先付け基礎部３１に沿って水平方向に延びるように、すなわち、建物１０の外周部に沿って延びるように設置されており、立ち上がり部３５と後付け基礎部３２とを連結するねじ切り棒４５ａは、建物１０の外周部に沿って所定間隔で複数設けられている。
【００６５】
ここでは、ねじ切り棒４５ａの配置について図５を参照しつつ説明する。図５は、後付け基礎部３２周辺の基礎２０の構成を示す平面図であり、（ａ）に先付け基礎部３１の直線部分における構成を示し、（ｂ）先付け基礎部３１の出隅部分における構成を示す。なお、図５においては、アンカーボルト２１及びアンカーホール充填材２３の図示を省略している。
【００６６】
図５（ａ）に示すように、後付け基礎部３２は、先付け基礎部３１の直線部分のうち立ち上がり部３５の上面にアンカーホール２２が形成されている部分に沿って延びるように設けられている。この場合、後付け基礎部３２は、平面視直線状とされており、立ち上がり部３５のアンカーホール２２を先付け基礎部３１の長手方向において跨ぐ状態となっている。アンカーホール２２は、先付け基礎部３１だけでなく後付け基礎部３２にも形成されており、それらアンカーホール２２は、立ち上がり部３５の短手方向において横並びに配置されている。
【００６７】
立ち上がり部３５と後付け基礎部３２とを連結するねじ切り棒４５ａは、先付け基礎部３１の長手方向において立ち上がり部３５のアンカーホール２２を挟んで両側に配置されており、それらねじ切り棒４５ａは互いに平行に延びている。この場合、立ち上がり部３５におけるアンカーホール２２が形成された部分が後付け基礎部３２により増強された状態となっている。また、この場合、各ねじ切り棒４５ａを立ち上がり部３５又は後付け基礎部３２にそれぞれ仮取り付けし、後付け基礎部３２の位置決めを行い、その状態で各ねじ切り棒４５ａを回転させることで、立ち上がり部３５と後付け基礎部３２とを各ねじ切り棒４５ａにより連結することができる。
【００６８】
また、図５（ｂ）に示すように、先付け基礎部３１は、その延設方向において屋外側に向けて突出するように折れ曲がった出隅部を有しており、後付け基礎部３２は、先付け基礎部３１の出隅部の外側面に沿って延びるように設けられている。この場合、後付け基礎部３２は平面視略Ｌ字状とされており、先付け基礎部３１の出隅部を屋外側から覆った状態となっている。
【００６９】
先付け基礎部３１の立ち上がり部３５は、出隅部において互いに直交する２つの側面を有しており、それら側面のそれぞれに第１雌ねじ部材５１ａが埋め込まれている。この場合、立ち上がり部３５にて出隅部を構成する２面のそれぞれにおいては、第１雌ねじ孔５３ａがそれぞれ開口されており、その開口方向は互いに直交している。また、後付け基礎部３２においては、立ち上がり部３５側にて互いに直交する一対の側面が、立ち上がり部３５の出隅部の各側面に対向する一対の対向面となっており、それら対向面のそれぞれに第２雌ねじ部材５２ａが埋め込まれている。この場合、後付け基礎部３２の２つの対向面においては、第２雌ねじ孔５４ａがそれぞれ開口されており、その開口方向は互いに直交している。
【００７０】
ねじ切り棒４５ａは、立ち上がり部３５の出隅部を挟んで後付け基礎部３２の両端側のそれぞれに配置されており、それらねじ切り棒４５ａは互いに交差する方向に延びた状態で、立ち上がり部３５の第１雌ねじ孔５３ａ及び後付け基礎部３２の第２雌ねじ孔５４ａの両方にねじ入れられている。この場合、立ち上がり部３５の出隅部の外側に配置された後付け基礎部３２が、立ち上がり部３５における互いに交差する直線部分のそれぞれに対してねじ切り棒４５ａにより連結されており、後付け基礎部３２により先付け基礎部３１の出隅部が増強された状態となっている。
【００７１】
この場合でも、各ねじ切り棒４５ａを立ち上がり部３５又は後付け基礎部３２にそれぞれ仮取り付けし、後付け基礎部３２の位置決めを行い、その状態で各ねじ切り棒４５ａを回転させることで、互いに交差したねじ切り棒４５ａにより、立ち上がり部３５の出隅部に対して後付け基礎部３２を連結することができる。
【００７２】
なお、立ち上がり部３５の出隅部においても、各ねじ切り棒４５ａはアンカーホール２２を挟んで両側に配置されており、立ち上がり部３５におけるアンカーホール２２が形成された部分が後付け基礎部３２により増強された状態となっている。
【００７３】
以上詳述した本実施形態によれば、以下の優れた効果が得られる。
【００７４】
先付け基礎部３１の第１雌ねじ孔５３ａ，５３ｂと、後付け基礎部３２の第２雌ねじ孔５４ａ，５４ｂとが同一軸線上に並ぶようにして対向配置されているため、ねじ切り棒４５ａ，４５ｂを回転させるという容易な作業により、後付け基礎部３２を先付け基礎部３１に対して強固に固定できる。この場合、例えば先付け基礎部３１にアンカーホールを形成し、そのアンカーホールにモルタル等の充填材を流し込み、さらにアンカーホールにねじ切り棒４５ａ，４５ｂを挿し入れるという作業が必要ないため、充填材が乾くのを待つという手間を省くことができる。したがって、先付け基礎部３１と後付け基礎部３２とを連結する際にその工期を好適に短縮することができる。
【００７５】
先付け基礎部３１と後付け基礎部３２との間に基礎隙間３９が形成されているため、その基礎隙間３９を利用してねじ切り棒４５ａ，４５ｂを容易に回転させることができる。これにより、後付け基礎部３２を増設する作業を好適に実施できる。
【００７６】
基礎隙間３９に隙間充填材４３が充填されているため、先付け基礎部３１と後付け基礎部３２とを対向面同士で接合させることができる。これにより、基礎部３１，３２の連結強度を高めることができ、ひいては、基礎強度を高めることができる。また、ねじ切り棒４５ａ，４５ｂが外部に露出しないようになるため、錆びが生じる等の不都合を抑制できる。
【００７７】
側面視において先付け基礎部３１の入隅部の内側に後付け基礎部３２が設けられており、後付け基礎部３２を立ち上がり部３５に連結するねじ切り棒４５ａと、後付け基礎部３２をフーチング部３４に連結するねじ切り棒４５ｂとが互いに交差する方向に延びているため、後付け基礎部３２が先付け基礎部３１から離れる方向及び近付く方向に移動することを抑制できる。しかも、各ねじ切り棒４５ａ，４５ｂは長手方向に移動可能であるため、先付け基礎部３１に対して後付け基礎部３２を所定の取り付け位置に配置した状態で、ねじ切り棒４５ａ，４５ｂを回転させれば、ねじ切り棒４５ａ，４５ｂが互いに異なる方向に延びていても、各ねじ切り棒４５ａ，４５ｂによる基礎部３１，３２同士の固定が可能となる。
【００７８】
平面視において先付け基礎部３１の出隅部の外側に後付け基礎部３２が設けられており、出隅部を形成する立ち上がり部３５の一対の側面部のうち、一方の側面部に後付け基礎部３２を連結するねじ切り棒４５ａと、他方の側面部に後付け基礎部３２を連結するねじ切り棒４５ａとが互いに交差する方向に延びているため、後付け基礎部３２が立ち上がり部３５から離れる方向及び近付く方向に移動することを抑制できる。しかも、各ねじ切り棒４５ａはいずれも長手方向に移動可能であるため、それらねじ切り棒４５ａが互いに異なる方向に延びていても、先付け基礎部３１の出隅部の外側に対して略Ｌ字状の後付け基礎部３２を連結することが可能となる。
【００７９】
先付け基礎部３１の立ち上がり部３５の上端面にアンカーホール２２が形成されている構成において、立ち上がり部３５の延設方向においてアンカーホール２２を跨ぐ状態となっているため、立ち上がり部３５においてアンカーホール２２が形成されている部分の構造強度が後付け基礎部３２により高めることができる。
【００８０】
先付け基礎部３１と後付け基礎部３２との間にスペーサ部材３８が設けられているため、後付け基礎部３２の設置に際して、その後付け基礎部３２と先付け基礎部３１との両方にスペーサ部材３８を当接させるという容易な作業により、後付け基礎部３２の位置決めを行うことができる。
【００８１】
［他の実施形態］
本発明は上記実施形態の記載内容に限定されず、例えば次のように実施されてもよい。
【００８２】
（１）先付け基礎部３１と後付け基礎部３２との間の基礎隙間３９には、隙間充填材４３が設けられていなくてもよい。この場合でも、先付け基礎部３１と後付け基礎部３２とはねじ切り棒４５ａ，４５ｂにより連結された状態となっている。
【００８３】
（２）先付け基礎部３１と後付け基礎部３２との間の基礎隙間３９は作業者の手が入らないほどに小さくされていてもよい。この場合でも、先付け基礎部３１と後付け基礎部３２との間に専用治具を挿し入れることにより、ねじ切り棒４５ａ，４５ｂを回転させることは可能である。
【００８４】
（３）上記実施形態では、スペーサ部材３８が後付け基礎部３２に取り付けられているが、スペーサ部材３８は、先付け基礎部３１に取り付けられていてもよく、先付け基礎部３１及び後付け基礎部３２のいずれにも取り付けられていなくてもよい。いずれの場合でも、スペーサ部材３８が基礎部３１，３２の間に挟まった状態となることにより、後付け基礎部３２の位置決めを行うことが可能となる。
【００８５】
また、スペーサ部材３８が基礎部３１，３２のいずれにも取り付けられていない構成においては、ねじ切り棒４５ａ，４５ｂにより後付け基礎部３２を後付け基礎部３２に固定した後、スペーサ部材３８を取り除いてもよい。
【００８６】
（４）上記実施形態では、ねじ切り棒４５ａ，４５ｂの雄ねじ部は、ねじ切り棒４５ａ，４５ｂの長手方向のほぼ全体に延びていたが、ねじ切り棒４５ａ，４５ｂの両端側だけに形成されていてもよい。つまり、ねじ切り棒４５ａ，４５ｂの長手方向における中間位置には雄ねじ部が形成されていなくてもよい。この場合でも、ねじ切り棒４５ａ，４５ｂの一端側を先付け基礎部３１側にねじ入れ、他端側を後付け基礎部３２側にねじ入れることは可能である。
【００８７】
（５）上記実施形態では、先付け基礎部３１の第１雌ねじ孔５３ａ，５３ｂ及び後付け基礎部３２の第２雌ねじ孔５４ａ，５４ｂの両方が、ねじ切り棒４５ａ，４５ｂの仮取り付け可能な深さ寸法とされていたが、第１雌ねじ孔５３ａ，５３ｂ及び第２雌ねじ孔５４ａ，５４ｂのうち一方が、ねじ切り棒４５ａ，４５ｂの仮取り付け可能な深さ寸法とされていてもよい。例えば、ねじ切り棒４５ａにより立ち上がり部３５と後付け基礎部３２とが連結されている部分について、後付け基礎部３２の第２雌ねじ孔５４ａのうち一方の深さ寸法が、ねじ切り棒４５ａがねじ入れられる部分の長さ寸法とほぼ同じにされている構成（Ｗａ２＝Ｌａ２）とする。この構成でも、ねじ切り棒４５ａを立ち上がり部３５の第１雌ねじ孔５３ａに仮取り付けすることは可能である。
【００８８】
（６）互いに交差する方向に延びる複数のねじ切り棒により、先付け基礎部３１と後付け基礎部３２とが連結されている構成においては、交差する方向のうち一方に延びるねじ切り棒は、第１雌ねじ部材又は第２雌ねじ部材を用いずに先付け基礎部３１及び後付け基礎部３２とに取り付けられていてもよい。
【００８９】
例えば、フーチング部３４と後付け基礎部３２とがねじ切り棒４５ｂにより連結されている部分について、フーチング部３４にアンカーホールが形成され、そのアンカーホールにねじ切り棒４５ｂの一端側が挿し入れられている構成とする。この構成では、ねじ切り棒４５ｂを後付け基礎部３２の第２雌ねじ孔５４ｂにねじ入れ、ねじ切り棒４５ｂの突出寸法Ｌｂｘをフーチング部３４と後付け基礎部３２との離間距離Ｄｂよりも大きくしておく。そして、アンカーホールに充填材を充填し、ねじ切り棒４５ｂの突出部分をアンカーホールに挿し入れながら、先付け基礎部３１に対して後付け基礎部３２の位置決めを行う。この場合、充填材が固化することでねじ切り棒４５ｂがフーチング部３４に対して強固に固定され、ねじ切り棒４５ｂによりフーチング部３４と後付け基礎部３２との連結がなされる。
【００９０】
（７）上記実施形態では、後付け基礎部３２が先付け基礎部３１の屋外側だけに設けられていたが、後付け基礎部３２は、先付け基礎部３１の屋内側だけに設けられていてもよく、先付け基礎部３１の屋外側及び屋内側の両方に設けられていてもよい。いずれの場合でも、ねじ切り棒４５ａ，４５ｂにより後付け基礎部３２が先付け基礎部３１に対して連結されていることが好ましい。
【００９１】
（８）上記実施形態の後付け基礎部３２は、平面視における先付け基礎部３１の出隅部の外側に取り付けられていたが、平面視における先付け基礎部３１の入隅部の外側に取り付けられていてもよい。この場合でも、先付け基礎部３１の立ち上がり部３５において入隅部を構成する２面のそれぞれに第１雌ねじ部材５１ａが埋め込まれ、各第１雌ねじ部材５１ａの第１雌ねじ孔５３ａが入隅部の外側面に開口され、後付け基礎部３２において先付け基礎部３１の入隅部に対向する２つの対向面のそれぞれに第２雌ねじ部材５２ａが埋め込まれ、各第２雌ねじ部材５２ａの第２雌ねじ孔５４ａが後付け基礎部３２の対向面に開口されていれば、立ち上がり部３５の２面のそれぞれに対して後付け基礎部３２をねじ切り棒４５ａにより連結することができる。
【００９２】
また、上記実施形態の後付け基礎部３２は、側面視における先付け基礎部３１の入隅部に取り付けられていたが、側面視における先付け基礎部３１の出隅部に取り付けられていてもよい。この場合、後付け基礎部３２は、側面視においてＬ字状に形成されていることが好ましい。
【００９３】
（９）上記実施形態では、先付け基礎部３１に対して後付け基礎部３２を連結する際に、第１雌ねじ部材５１ａ，５１ｂを先付け基礎部３１に埋め込むとしたが、先付け基礎部３１の構築時において第１雌ねじ部材５１ａ，５１ｂを先付け基礎部３１にあらかじめ埋め込んでおいてもよい。例えば、型枠を組んだ後、第１雌ねじ部材５１ａ，５１ｂを鉄筋３３に対して結束しておき、その状態でコンクリートの打設を行う。
【００９４】
（１０）先付け基礎部３１は、建築現場においてコンクリートの打設が行われることで構築されたものでなく、後付け基礎部３２と同じように、プレキャストコンクリート等のブロック部材により形成された基礎ブロックであってもよい。また、先付け基礎部３１は、布基礎ではなく、べた基礎や独立基礎などとされていてもよい。
【００９５】
（１１）上記実施形態では、建物増設工事に伴って先付け基礎部３１に対して後付け基礎部３２を取り付けるとしたが、建物１０が新築される際に先付け基礎部３１、後付け基礎部３２の順で設置作業を行うことで基礎２０を構築してもよい。
【００９６】
（１２）後付け基礎部３２の上には必ずしも建物１０が設置されていなくてもよく、後付け基礎部３２が先付け基礎部３１の補強を目的として先付け基礎部３１に対して取り付けられていてもよい。例えば、後付け基礎部３２は、地震発生などに伴って先付け基礎部３１に亀裂や破損が生じた場合に、先付け基礎部３１の延設方向において既設箇所や破損個所を跨ぐように取り付けられた構成とする。この構成によれば、先付け基礎部３１の構造強度が亀裂や破損によって低下することを後付け基礎部３２により抑制できる。
【符号の説明】
【００９７】
１０…建物、２０…基礎、２１…アンカーバーとしてのアンカーボルト、２２…アンカーホール、３１…先付け基礎部、３２…後付け基礎部、３４…フーチング部、３５…立ち上がり部、３８…位置決め手段としてのスペーサ部材、３９…隙間としての基礎隙間、４３…充填材としての隙間充填材、４５ａ，４５ｂ…ねじ切り棒、５３ａ，５３ｂ…第１雌ねじ孔、５４ａ，５４ｂ…第２雌ねじ孔。
【図１】
2013155572.tif 000003
【図２】
2013155572.tif 000004
【図３】
2013155572.tif 000005
【図４】
2013155572.tif 000006
【図５】
2013155572.tif 000007